(57)【要約】【課題】オリジナルのパーソナルメッセージを作成するオリジナルメッセージ作成装置およびオリジナルメッセージ記録媒体を提供する。【解決手段】オリジナルメッセージ作成装置は、ユーザからオリジナルメッセージを受信し、そのメッセージ内容をメディア毎に分類して、印刷もしくは登録を行うことでパーソナルメッセージを作成する。また、オリジナルメッセージ記録媒体には、受信した複数のメッセージメディアから成るオリジナルメッセージが記録され、オリジナルメッセージが隠蔽された状態に折り畳まれ、表に配送先が印刷されて成る。【選択図】      図１
2005014521.tif 000002
【特許請求の範囲】
【請求項１】
複数のメッセージメディアから成るオリジナルメッセージを受信するメッセージ受信部と、
前記受信したメッセージメディア毎、所定の記録媒体への記録を指示するメッセージ記録指示部と、
を備えることを特徴とするパーソナルメッセージ作成装置。
【請求項２】
前記メッセージメディアのうち、音声は、ＩＣ音声モジュールに記録され、前記記録媒体に貼付されることを特徴とする請求項１に記載のパーソナルメッセージ作成装置。
【請求項３】
前記記録媒体は、前記オリジナルメッセージが隠蔽された状態に折り畳まれて成ることを特徴とする請求項１または２に記載のパーソナルメッセージ作成装置。
【請求項４】
複数のメッセージメディアから成るオリジナルメッセージを受信する工程と、
前記受信したメッセージメディア毎、所定の記録媒体への記録を指示する工程と、
を備えることを特徴とするパーソナルメッセージ作成方法。
【請求項５】
受信した複数のメッセージメディアから成るオリジナルメッセージが記録され、前記オリジナルメッセージが隠蔽された状態に折り畳まれ、表に配送先が印刷されて成るパーソナルメッセージ記録媒体。
【発明の詳細な説明】
【０００１】
【発明の属する技術分野】
本発明は、パーソナルメッセージ作成装置およびその方法、ならびにパーソナルメッセージ記録媒体に関する。
【０００２】
【従来の技術】
通常、ダイレクトメールの作成は、コンピュータプログラムを用い、基本データとは別に、宛先となる顧客の住所、氏名を差し替えることにより行われる。また、顧客の住所、氏名は勿論のこと、個人情報に対応するテキストや画像等の商品データをプリントできるダイレクトメールの作成方法が提案されている（特許文献１参照）。
一方、電報等においてもメッセージは送り主が自由に決められるが、台紙の絵柄やメロディ等の音声については、あらかじめ準備されたものの中から選択する仕組みになっていた。
【０００３】
【特許文献１】
特開２００１−７５９５１号公報（〔０００７〕〜〔００１２〕、図１）
【０００４】
【発明が解決しようとする課題】
しかしながら、上記した従来技術によれば、あらかじめ準備されたテキストや画像、あるいは音声以外を利用することはできず、従って、オリジナリティのあるパーソナルメッセージを作成できる迄には至らない。送り主としては、あらかじめ準備された以外の絵柄や音声等を、受取人によって自由に変更して送りたいという要望がある。
【０００５】
本発明の目的は、オリジナリティのあるパーソナルメッセージを作成することのできる、パーソナルメッセージ作成装置およびその方法、ならびにパーソナルメッセージ記録媒体を提供することにある。
【０００６】
【課題を解決するための手段】
上記した課題を解決するために本発明のパーソナルメッセージ作成装置は、複数のメッセージメディアから成るオリジナルメッセージを受信するメッセージ受信部と、前記受信したメッセージメディア毎、所定の記録媒体への記録を指示するメッセージ記録指示部と、を備えることを特徴とする。
【０００７】
また、本発明のパーソナルメッセージ作成装置において、前記メッセージメディアのうち、音声はＩＣ音声モジュールに記録され、前記記録媒体へ貼付されることを特徴とする。
【０００８】
また、本発明のパーソナルメッセージ作成装置において、前記記録媒体は、前記オリジナルメッセージが隠蔽された状態に折り畳まれて成ることを特徴とする。
【０００９】
上記した課題を解決するために本発明のパーソナルメッセージ作成方法は、複数のメッセージメディアから成るオリジナルメッセージを受信する工程と、前記受信したメッセージメディア毎、所定の記録媒体への記録を指示する工程と、を備えることを特徴とする。
【００１０】
上記した課題を解決するために本発明のパーソナルメッセージ記録媒体は、受信した複数のメッセージメディアから成るオリジナルメッセージが記録され、前記オリジナルメッセージが隠蔽された状態に折り畳まれ、表に配送先が印刷されて成ることを特徴とする。
【００１１】
【発明の実施の形態】
図１は、本発明実施形態におけるパーソナルメッセージ作成装置の内部構成を機能展開して示したブロック図である。
パーソナルメッセージ作成装置１は、メッセージ受信部１１と、メッセージ記録指示部１２と、マッチング処理部１３と、記録媒体１４で構成される。
【００１２】
メッセージ受信部１１は、インターネット、あるいは電話等により、ユーザから文、字、画像、音声等、複数のメッセージメディアから成るオリジナルメッセージを受信する機能を持ち、メッセージ記録指示部１２は、メッセージ受信部１１で受信したメッセージメディア毎、所定の記録媒体１４への記録を指示する機能を持つ。
【００１３】
マッチング処理部１３は、バーコードリーダ装置を有しており、後述するセット作業に先立ち、送り状１４１、メッセージシート１４２、ＩＣ音声モジュール１４３、タトウ１４４のそれぞれに付与されるバーコードを読み取り、一致を確認することによりパーソナルメッセージ記録媒体の台紙となるタトウ１４４への記録を許可する機能を持つ。
【００１４】
なお、記録媒体１４は、複数種の雛型から成るタトウ１４４上に、送り状１４１、メッセージシート１４２、ＩＣチップから成るＩＣ音声モジュール１４３のそれぞれが印刷もしくは貼付されて成る。ここでは、タトウ１４４に、送り状１４１、メッセージシート、ＩＣ音声モジュール１４２が印刷され、あるいは貼付された状態にある記録媒体１４をオリジナルメッセージ記録媒体１４０という。
オリジナルメッセージ記録媒体１４０には、メッセージ記録指示部１２による指示の下、メッセージ受信部１１で受信される複数のメッセージメディアから成るオリジナルメッセージが記録され、後述するように、オリジナルメッセージが隠蔽された状態に折り畳まれ、表に配送先が印刷され、発送される。
【００１５】
図２は、本発明実施形態におけるバーソナルメッセージ作成装置の処理手順を示すフローチャートである。
以下、図２に示すフローチャートを参照しながら、図１に示す本発明実施形態の動作について詳細に説明する。
【００１６】
まず、ユーザが端末を操作することによりインターネットを介し、あるいは電話でパーソナルメッセージ作成装置１をアクセスし、テキスト、画像、音声ファイル等のメッセージメディアの組合せから成るオリジナルメッセージを作成し、送信する。
なお、電話によるアクセスの場合は、パーソナルメッセージ作成装置１を運用する事業者サイドで、電話を介して受信した内容に従い、テキスト、画像、音声の各ファイルを生成するものとする。
パーソナルメッセージ作成装置１は、メッセージ受信部１１でこのオリジナルメッセージを受信し（Ｓ２１）、このとき、管理番号を付与すると共に、住所、氏名、電話番号等、ユーザの個人情報を申込者属性として、また、オリジナルメッセージの送付先、使用するタトウの種別に関する情報も取り込む。そして、タトウの種別（形式）毎にオリジナルメッセージを含むデータを分類し、更に、メッセージメディア毎に分類して図示せぬデータベースに登録する（Ｓ２２）。
【００１７】
続いてメッセージ記録指示部１２は、適当なタイミングで登録されたデータを受付順にソートして後述する記録媒体１４へのオリジナルメッセージの記録の準備を行う他に、着店コード（配達先の最寄りの店舗）コード、および送り状へのバーコード付与を指示する（Ｓ２３）。
そして管理番号に従って登録データの読み出しを行ない（Ｓ２４）、順次、記録媒体１４へオリジナルメッセージの記録、およびセット作業を指示する。ここでは、まず、オリジナルメッセージの中に音声が含まれているか否かがチェックされる（Ｓ２５）。ここで音声が含まれていた場合、あらかじめ用意されたＩＣ音声モジュール１４３に印刷されているバーコードを読み取り、管理番号をキーに使用するタトウ１４４との紐付け（関連付け）を行う（Ｓ２６）。そして、音声を除く、テキストや画像に関してメッセージシートへの印刷を指示し、更に送り状の印刷も指示し（Ｓ２７）、セット作業へ進む。
【００１８】
なお、セット作業に先立ち、マッチング処理部１３によるバーコード読み取りに基づくマッチング処理が行われる（Ｓ２８）。
すなわち、ここでは、オリジナルメッセージを構成するメッセージメディアである音声、テキスト、画像が正しく組合され、また、テキストおよび画像が、指定されたメッセージシート１４２に印刷され、あるいはＩＣ音声モジュール１４３の貼付が行われるかをマッチング処理によって確認する。具体的には、受付時に発行された管理番号に紐付けられたバーコードが、使用するタトウ１４４、ＩＣ音声モジュール１４３、メッセージシート１４２、送り状１４１のそれぞれに付与されており、このバーコードをマッチング処理部１３が読み取って照合することにより正しい組合せであるか否かを確認できる。マッチング処理部１３で正しい組合せであることが確認されると、図３に示すセット作業が行われる。
なお、バーコードを読み取った結果、いずれかに不一致が認められた場合には原因を究明して手作業による組直しが行われる。
【００１９】
図３に示されるように、オリジナルメッセージ記録媒体１４０の台紙となるタトウ１４４は、その形式に従い、ここではＡ〜Ｅの５種類存在し、また、オリジナルメッセージ受信時、ユーザにより選択されていることは上記したとおりである。
ここで使用されるタトウ１４４は、ａ〜ｃの３面から成り、ｂ面にはＩＣ音声モジュール１４３が貼付され、ａ面を折り返して剥離容易な状態に貼付し、更に、折り返されたａ面には、送り先、ならびに画像とテキストが印刷されたメッセージシート１４２が貼り付けられる。そして、窓部分がくり抜かれたｃ面を折り返し、表に送り状１４１を貼付して発送が可能となる。
【００２０】
このように折り返しを行うことで、パーソナルメッセージは外部から隠蔽された状態で発送され、また、ＩＣ音声モジュールは、剥離可能な形態で貼付されているため、受取人は、そのＩＣ音声モジュール１４３を取り外して再生装置へセットすることで送り主のメッセージを聴取することができる。
【００２１】
なお、上述した実施形態において、オリジナルメッセージ記録媒体１４０のうち、メッセージシート１４２が印刷されＩＣ音声モジュール１４３が取り付けられたタトウ１４４が封筒に入れられ、該封筒に送り状１４１が印刷あるいはシール等によって貼り付けられ、送付されるようにしてもよい。
【００２２】
【発明の効果】
以上説明のように本発明によれば、オリジナルのメッセージを受信し、そのメッセージ内容をメディア毎に分類して記録媒体に印刷あるいは音声記録を行うことによりオリジナルのパーソナルメッセージを作成することができる。
また、音声メディアはＩＣ音声モジュールに登録され、剥離可能な状態で記録媒体に貼付されるため、受取り者が記録媒体から剥がし再生装置にセットすることで送り手のメッセージを聴取できる。更に、テキストや画像メディアは、外部から隠蔽された状態で折り畳まれ受取人へ発送されるため、機密性も高い。
【図面の簡単な説明】
【図１】本発明実施形態におけるパーソナルメッセージ作成装置の内部構成を機能展開して示したブロック図である。
【図２】本発明実施形態におけるバーソナルメッセージ作成装置の処理手順を示すフローチャートである。
【図３】セット作業を説明するために引用した図である。
【符号の説明】
１…オリジナルメッセージ作成装置、１１…メッセージ受信部、１２…メッセージ記録指示部、１３…マッチング処理部、１４０…オリジナルメッセージ記録媒体
【図１】
2005014521.tif 000003
【図２】
2005014521.tif 000004
【図３】
2005014521.tif 000005